(57)【特許請求の範囲】
【請求項１】
ウェブ情報が保存されたウェブサイト；及び
前記ウェブサイトへのアクセス権限を有する複数の固有の権限情報のうち少なくとも一つの前記固有の権限情報を用いて、前記ウェブ情報が不法複製ウェブ情報であるか否かをモニタリングし、前記ウェブサイトから前記固有の権限情報が遮断されるか否かを感知し、前記ウェブサイトから前記固有の権限情報が遮断されると、遮断された前記固有の権限情報を除く他の前記固有の権限情報を用いて、前記ウェブ情報に対するモニタリングを再開するモニタリングサーバー；を含み、
前記モニタリングサーバーは、
前記ウェブサイトから前記固有の権限情報が遮断されると、前記ウェブサイトへのモニタリングを実行するようにアクセス命令を下すスクリプト情報に、他の前記固有の権限情報を自動的に代入することを特徴とするウェブサイトモニタリングシステム。
【請求項２】
前記モニタリングサーバーは、
前記ウェブサイトから遮断された前記固有の権限情報と前記固有の権限情報を遮断させた前記ウェブサイトが相互にマッピングされた遮断マッピングテーブルを保存し、前記固有の権限情報を遮断させた前記ウェブサイトから他の前記固有の権限情報が遮断されると、前記遮断マッピングテーブルから前記固有の権限情報を遮断させた前記ウェブサイトに対応する前記固有の権限情報を抽出し、抽出された前記固有の権限情報が遮断解除されたか否かにより、抽出された前記固有の権限情報を用いて、前記固有の権限情報を遮断させた前記ウェブサイトへのモニタリングを再開することを特徴とする、請求項１に記載のウェブサイトモニタリングシステム。
【請求項３】
モニタリングサーバーが複数のウェブ情報が保存されたウェブサイトへのアクセス権限を有する複数の固有の権限情報のうち少なくとも一つの前記固有の権限情報を用いて、前記ウェブ情報が不法複製ウェブ情報であるか否かをモニタリングするウェブ情報モニタリングのステップ；
前記モニタリングサーバーが、前記ウェブ情報が不法複製ウェブ情報であるか否かをモニタリングするとき、前記固有の権限情報が前記ウェブサイトから遮断されるか否かを感知するモニタリング遮断感知のステップ；
前記ウェブサイトから前記固有の権限情報が遮断されると、前記モニタリングサーバーが遮断された前記固有の権限情報を除く他の前記固有の権限情報を用いて、前記ウェブサイトに対するモニタリングを再設定するモニタリング再設定のステップ；及び
前記モニタリングサーバーが、他の前記固有の権限情報を用いて、前記ウェブサイトに対するモニタリングを再開するモニタリング再開のステップ；を含み、
前記モニタリング再設定のステップは、
前記モニタリングサーバーが、前記ウェブサイトへのモニタリングを実行するようにアクセス命令を下すスクリプト情報に、他の前記固有の権限情報を自動的に代入することを特徴とするウェブサイトモニタリング方法。
【請求項４】
前記モニタリング再設定のステップは、
前記固有の権限情報を遮断させた前記ウェブサイトから他の前記固有の権限情報が遮断されると、前記ウェブサイトから遮断された前記固有の権限情報と前記固有の権限情報を遮断させた前記ウェブサイトが相互にマッピングされた遮断マッピングテーブルを保存する前記モニタリングサーバーが、前記遮断マッピングテーブルから前記固有の権限情報を遮断させた前記ウェブサイトに対応する前記固有の権限情報を抽出し、抽出された前記固有の権限情報が遮断解除されたか否かにより、抽出された前記固有の権限情報を用いて前記固有の権限情報を遮断させた前記ウェブサイトへのモニタリングが再開されるように再設定することを特徴とする、請求項３に記載のウェブサイトモニタリング方法。
【発明の詳細な説明】
【技術分野】
【０００１】
本発明は、ウェブサイトのモニタリングシステムに関し、特にウェブサイトへのアクセス権限を有する固有の権限情報を用いてウェブサイトに保存されたウェブ情報をモニタリングし、固有の権限情報が遮断されるかをリアルタイムで感知し、固有の権限情報が遮断されると、遮断された固有の権限情報を除く他の固有の権限情報を用いて、ウェブ情報に対するモニタリングを再開するウェブサイトモニタリングシステム及びモニタリング方法に関する。
【背景技術】
【０００２】
ウェブトゥーン、音源、動画及び書籍などの様々なデジタルコンテンツは、情報化社会の到来に伴い、ウェブサイトなどの情報提供媒体を介して自由に配布、流通されている。これにより、デジタルコンテンツは、世界中のどの地域にいても誰でも共有できるようになった。一方、デジタルコンテンツの急速な拡散に比べて、デジタルコンテンツの著作物の保護に対するユーザーの認識はあまりにも不足している現状であり、これを克服するために、デジタルコンテンツの不法流通を索出するためのウェブサイトモニタリングが情報化社会において重要な手段として作用されている。
【０００３】
デジタルコンテンツの著作権保護のための方案は、著作物の複製、配布及び流通を困難にする事前的措置と不法に複製、配布及び流通された著作物を索出して取り締まる事後的措置に区分される。
【０００４】
事前的措置は、例えば複製が不可能又は複製回数を制限するためのウォーターマーキング（Ｗａｔｅｒｍａｒｋｉｎｇ）技術などの技術的な側面から開発される方法により、多くの発展がなされてきた。しかし、事前的措置による方法は、制限を任意に解除する技術が開発されることにより、ほとんど無力化しており、著作物の直接侵害に該当しない複製等に対しても区分を置かず禁止する問題が発生して、現実的に適用が無意味な場合が頻繁である。
【０００５】
したがって、デジタルコンテンツの違法な複製、流通及び配布を制限するためには、事後的措置を用いて、持続的なウェブサイトモニタリングとデジタルコンテンツの不法流通に対する摘発が並行されるべきである。
【０００６】
しかし、現在の不法流通されるデジタルコンテンツに対する索出は、著作権者個人又は著作権を委託管理する委託機関が自発的にウェブサイトに接続して索出する手作業に依存している。このような方法は、無数のウェブサイトへのモニタリングと摘発を非常に困難にし、索出されたウェブサイトにも新たに著作権侵害の事例が追加される場合には、再接続及び再検出をしない限り、継続的な監視が無駄になってしまう。
【０００７】
特に管理対象となるウェブサイトは、ウェブサイトモニタリングサーバーのＩＰ、ＩＤなどの固有情報を遮断するなどの方法で不法流通されるデジタルコンテンツを持続的に露出させている。
【０００８】
従来は、特許文献１のように、違法に共有されるデジタルコンテンツのモニタリングを実行する内容が開示されているが、これもウェブサイトサーバーのモニタリングが遮断されることに対して、対応する方案をまだ解決できないでいる。
【先行技術文献】
【特許文献】
【０００９】
【特許文献１】大韓民国登録特許第１０−１６３４７５４号公報（２０１６年７月２２日公告）
【発明の概要】
【発明が解決しようとする課題】
【００１０】
本発明が解決しようとする技術的課題は、ウェブサイトからウェブ情報モニタリングに対するアクセスが遮断されることを感知し、アクセス権限を有する固有の権限情報を再設定した後にモニタリングを再開することにより、不法複製デジタルコンテンツに対する継続的なモニタリングが可能なウェブサイトモニタリングシステム及びモニタリング方法を提供することである。
【００１１】
本発明が解決しようとする他の技術的課題は、固有の権限情報が遮断されても遮断された固有の権限情報の遮断状態の更新の有無によって、遮断された固有の権限情報を再使用することで、固有の権限情報の廃棄を防止するウェブサイトモニタリングシステム及びモニタリング方法を提供することである。
【課題を解決するための手段】
【００１２】
前記技術的課題を達成するための本発明に係るウェブサイトモニタリングシステムは、ウェブサイト及びモニタリングサーバーを含む。
【００１３】
ウェブサイトは、ウェブ情報が保存される。モニタリングサーバーは、前記ウェブサイトへのアクセス権限を有する複数の固有の権限情報のうち少なくとも一つの前記固有の権限情報を用いて、前記ウェブ情報が不法複製ウェブ情報であるか否かをモニタリングし、前記ウェブサイトから前記固有の権限情報が遮断されるかを感知し、前記ウェブサイトから前記固有の権限情報が遮断されると、遮断された前記固有の権限情報を除く他の前記固有の権限情報を用いて、前記ウェブ情報に対するモニタリングを再開する。また、前記モニタリングサーバーは、前記ウェブサイトから前記固有の権限情報が遮断されると、前記ウェブサイトへのモニタリングを実行するようにアクセス命令を下すスクリプト情報に、他の前記固有の権限情報を自動的に代入する。
【００１４】
本発明の他の特徴によると、ウェブサイトモニタリング方法は、ウェブ情報モニタリングのステップ、モニタリング遮断感知のステップ、モニタリング再設定のステップ及びモニタリング再開のステップを含む。
【００１５】
ウェブ情報モニタリングのステップは、モニタリングサーバーが複数のウェブ情報が保存されたウェブサイトへのアクセス権限を有する複数の固有の権限情報のうち少なくとも一つの前記固有の権限情報を用いて、前記ウェブ情報が不法複製ウェブ情報であるか否かをモニタリングする。モニタリング遮断感知のステップは、前記モニタリングサーバーが、前記ウェブ情報が不法複製ウェブ情報であるかをモニタリングするとき、前記固有の権限情報が前記ウェブサイトから遮断されるかを感知する。モニタリング再設定のステップは、前記ウェブサイトから前記固有の権限情報が遮断されると、前記モニタリングサーバーが遮断された前記固有の権限情報を除く他の前記固有の権限情報を用いて、前記ウェブサイトに対するモニタリングを再設定する。モニタリング再開のステップは、前記モニタリングサーバーが、他の前記固有の権限情報を用いて、前記ウェブサイトに対するモニタリングを再開する。また、前記モニタリング再設定のステップは、前記モニタリングサーバーが、前記ウェブサイトへのモニタリングを実行するようにアクセス命令を下すスクリプト情報に、他の前記固有の権限情報を自動的に代入する。
【発明の効果】
【００１６】
前述したように、本発明のウェブサイトのモニタリングシステム及びモニタリング方法は、ウェブサイトからウェブ情報モニタリングへのアクセスが遮断されることを感知してアクセス権限を有する固有の権限情報を再設定した後にモニタリングを再開することにより、不法複製デジタルコンテンツに対する継続的なモニタリングが可能な効果がある。
【００１７】
また、本発明のウェブサイトのモニタリングシステム及びモニタリング方法は、固有の権限情報が遮断されても遮断された固有の権限情報の遮断状態の更新の有無によって、遮断された固有の権限情報を再使用することで、固有の権限情報の廃棄を防止することができる。
【図面の簡単な説明】
【００１８】
【図１】本発明に係るウェブサイトモニタリングシステムの構成を示したブロック図である。
【図２】図１に図示されたサーバーの構成を示したブロック図である。
【図３】図２に図示された遮断マッピングテーブルを例示した図である。
【図４】本発明に係るウェブサイトモニタリング方法の処理手順を示すフローチャートである。
【発明を実施するための形態】
【００１９】
本発明の実施例は、様々な形態に変形することができ、本発明の範囲が下記に述べる実施例により限定されるものと解釈されてはならない。本実施例は、当業界で平均的な知識を有する者に本発明をより完全に説明するために提供されるものである。したがって、図面における構成要素の形状などはより明確な説明を強調するために描かれたものである。
【００２０】
以下、添付された図面を参照して、本発明の実施例を詳細に説明する。
【００２１】
図１は、本発明に係るウェブサイトモニタリングシステムの構成を示したブロック図である。図２は、図１に図示されたサーバーの構成を示したブロック図である。そして、図３は、図２に図示された遮断マッピングテーブルを例示した図である。
【００２２】
図１〜図３を参照すると、本発明に係るウェブサイトモニタリングシステム１０は、ウェブサイト１００上で違法に複製、流通されているウェブトゥーン、音源、動画及び書籍などの様々なデジタルコンテンツを索出するために、モニタリングサーバー２００を用いてウェブサイト１００に保存されたウェブ情報１１０をモニタリングし、モニタリングが遮断されるか否かをリアルタイムで感知する。また、ウェブサイトモニタリングシステム１０は、ウェブサイト１００に対するモニタリングが遮断されると、ウェブサイト１００へのアクセス権限を有する少なくとも一つの固有の権限情報２２７を除く他の固有の権限情報２２７を用いてウェブサイト１００に対するモニタリングを再開する。すなわち、本発明に係るウェブサイトモニタリングシステム１０は、ウェブサイト１００から固有の権限情報２２７が遮断されても、他の固有の権限情報２２７を用いてウェブサイト１００、すなわち、ウェブ情報１１０に対するモニタリングを継続的に行うことができる。このようなウェブサイトモニタリングシステム１０は、ウェブサイト１００とモニタリングサーバー２００が、例えば通信網などの通信経路を介して接続することができる。
【００２３】
具体的には、ウェブサイト１００は、ウェブトゥーン、音源、動画、書籍などの様々なデジタルコンテンツを含むウェブ情報１１０を保存する。また、ウェブサイト１００は、ウェブサイト１００へのアクセス権限を有する固有の権限情報２２７に対して、ウェブ情報１１０の探索、すなわちモニタリングを認許するのはもちろんである。このとき、ウェブサイト１００は、場所の区別なくあちこちに散在しているので、個々人のウェブサイトの管理者によって、ウェブ情報１１０がアップロードされうるものと仮定とする。特に、ウェブ情報１１０は、タグ（Ｔａｇ）などの識別可能な属性情報が含まれており、モニタリングサーバー２００からモニタリングが作動すると、属性情報を提供することができる。
【００２４】
モニタリングサーバー２００は、ウェブサイト１００のアクセス権限を有する複数の固有の権限情報２２７のうち少なくとも一つの固有の権限情報２２７を用いて、ウェブ情報１１０が不法複製ウェブ情報であるか否かをモニタリングし、ウェブサイト１００から固有の権限情報２２７が遮断されるか否かを感知する。また、モニタリングサーバー２００は、ウェブサイト１００から固有の権限情報２２７が遮断されると、遮断された固有の権限情報２２７を除く他の固有の権限情報２２７を用いて、ウェブ情報１１０に対するモニタリングを再開する。このようなモニタリングサーバー２００は、制御部２０１、通信部２０２、モニタリングプログラム２１０及びデータベース２２０を含む。
【００２５】
制御部２０１は、モニタリングプログラム２１０を用いてモニタリングサーバー２００の諸般の作動が処理されるように制御する。つまり、制御部２０１は、通信部２０２、モニタリングプログラム２１０及びデータベース２２０を制御する。
【００２６】
通信部２０２は、例えば通信網などの通信経路を介してウェブサイト１００とモニタリングサーバー２００を接続させる。また、通信部２０２は、制御部２０１の制御を受けて、ウェブサイト１００及びモニタリングサーバー２００が相互にデータ通信されるように処理する。
【００２７】
モニタリングプログラム２１０は、ウェブサイト１００へのアクセス権限を有する複数の固有の権限情報２２７のうち少なくとも一つの固有の権限情報２２７を用いてウェブサイト１００をモニタリングして、ウェブ情報１１０が不法複製ウェブ情報であるか否かをリアルタイムで索出する。また、モニタリングプログラム２１０は、モニタリングの途中、ウェブサイト１００から固有の権限情報２２７が遮断されると、遮断された固有の権限情報２２７と固有の権限情報２２７を遮断させたウェブサイト１００が相互にマッピングされた遮断マッピングテーブルを保存する。これに加え、モニタリングプログラム２１０は、遮断された固有の権限情報２２７を代替する他の固有の権限情報２２７を用いてモニタリングを再設定して、ウェブサイト１００に対するモニタリングを再開することができる。このとき、モニタリングプログラム２１０は、ウェブサイト１００に対するモニタリングを実行するようにアクセス命令を下すスクリプト情報２２１、すなわち、コマンドに異なる固有の権限情報２２７を代入して、ウェブサイト１００へのアクセスが行われるようにする。さらに、モニタリングプログラムは、例えばクローラ（Ｃｒａｗｌｅｒ）などの探索及びインデックス機能を実行するコンピュータプログラムとして具備されてもよい。それだけでなく、モニタリングプログラム２１０は、固有の権限情報２２７を遮断させたウェブサイト１００から他の固有の権限情報２２７が再び遮断されると、遮断マッピングテーブル２２９から固有の権限情報２２７を遮断させたウェブサイト１００に対応する固有の権限情報２２７を抽出し、抽出された固有の権限情報２２７が遮断解除されたか否かにより、抽出された固有の権限情報２２７を用いて固有の権限情報２２７を遮断させたウェブサイト１００のモニタリングが再開されるようにすることができる。このため、モニタリングプログラム２１０は、ウェブ情報探索部２１１、探索遮断感知部２１３及び探索再設定部２１５を含む。
【００２８】
ウェブ情報探索部２１１は、例えば、クローラなどのコンピュータプログラムとして具備され、ウェブサイト１００へのアクセス権限を有する複数の固有の権限情報２２７のうち少なくとも一つの固有の権限情報２２７を用いてウェブサイト１００をモニタリングして、ウェブ情報１１０が不法複製ウェブ情報であるか否かをリアルタイムで索出する。
【００２９】
探索遮断感知部２１３は、ウェブ情報探索部２１１によってモニタリングが作動する途中、ウェブサイト１００から固有の権限情報２２７が遮断されるか否かを感知する。また、探索遮断感知部２１３は、ウェブサイト１００から固有の権限情報２２７が遮断されると、ウェブサイト１００から遮断された固有の権限情報２２７と固有の権限情報２２７を遮断させたウェブサイト１００がデータベース２２０に保存されるようにする。これに加え、探索遮断感知部２１３は、ウェブサイト１００からモニタリングが遮断されたという信号を探索再設定部２１５に伝達する。
【００３０】
探索再設定部２１５は、探索遮断感知部２１３からモニタリング、すなわち固有の権限情報２２７に対するアクセスが遮断されたという信号を伝達され、遮断された固有の権限情報２２７を除く他の固有の権限情報２２７をスクリプト情報２２１に代入してモニタリングを再設定することで、固有の権限情報２２７を遮断させたウェブサイト１００に対するモニタリングが再開されるようにすることができる。
【００３１】
データベース２２０は、制御部２０１の制御を受けてモニタリングサーバー２００の管理者からスクリプト情報２２１、ウェブサイト情報２２３、ウェブ情報ハッシュ値２２５、固有の権限情報２２７を保存し、探索遮断感知部２１３から遮断された固有の権限情報２２７と固有の権限情報２２７を遮断させたウェブサイト１００を受け入れ、遮断マッピングテーブル２２９に保存する。ここで、ウェブサイト情報２２３は、ウェブサイト１００を検索することができるＵＲＬ（Ｕｎｉｆｏｒｍ  Ｒｅｓｏｕｒｃｅ  Ｌｏｃａｔｏｒ：ＵＲＬ）などの位置記録などを含んでもよい。つまり、ウェブサイト情報２２３は、ウェブ情報探索部２１１と探索再設定部２１５で、ウェブサイト１００に対してアクセスしようとすると、位置記録などを提供してモニタリングしようとするウェブサイト１００にアクセスできるように情報を提供する。また、固有の権限情報２２７は、例えば、ＩＰ（Ｉｎｔｅｒｎｅｔ  Ｐｒｏｔｏｃｏｌ：ＩＰ）、ウェブサイト１００へのアクセスが認許されたＩＤ（Ｉｄｅｎｔｉｆｉｃａｔｉｏｎ：ＩＤ）などのウェブサイト１００へのアクセス権限を有する識別情報などとして具備されてもよく、複数で具備されてウェブサイト１００から少なくとも一つの固有の権限情報２２７が遮断されることに対応することが望ましい。また、ウェブ情報ハッシュ値２２５は、ウェブ情報１１０から不法複製されたウェブ情報１１０を判別するための暗号として、ウェブ情報探索部２１１に提供され、ウェブ情報１１０の同一性が立証されるようにすることができる。図３を参照すると、特に遮断マッピングテーブル２２９は、遮断された固有の権限情報２２７と固有の権限情報２２７を遮断させたウェブサイト１００が相互に一対一対応するようにすることができる。もちろん、図面では、一対一の対応のみを示したが、複数の遮断された固有の権限情報２２７に１つのウェブサイト１００が重複すれば、多対一の対応をすることができるのは当然である。
【００３２】
具体的に図４を参照して、本発明の実施例に係るウェブサイトモニタリング方法を詳細に説明する。
【００３３】
図４は、本発明に係るウェブサイトモニタリング方法の処理手順を示すフローチャートである。ここでは図１〜図３に図示されたウェブサイトモニタリングシステム１０の構成要素を用いてウェブサイトモニタリング方法を詳細に説明する。
【００３４】
図４を参照すると、本発明の実施例に係るウェブサイトモニタリング方法は、ステップＳ３１０で、モニタリングサーバー２００は、複数の固有の権限情報２２７のうち少なくとも一つの固有の権限情報２２７を用いてウェブサイト１００にアクセスし、アクセスしたウェブサイト１００に保存されたウェブ情報１１０のうち不法複製及び流通されている不法複製ウェブ情報が索出されるようにモニタリングする。
【００３５】
ステップＳ３２０で、モニタリングサーバー２００は、アクセスされたウェブサイト１００から固有の権限情報２２７が遮断されるか否かをリアルタイムで感知し、ウェブサイト１００から固有の権限情報２２７が遮断されれば、この手順はステップＳ３３０とステップＳ３４０に進み、ウェブサイト１００から固有の権限情報２２７が遮断されなければ、この手順はステップＳ３５０に進み、ウェブサイト１００に対するモニタリングを継続して実行する。
【００３６】
ステップＳ３３０で、モニタリングサーバー２００は、ウェブサイト１００から遮断された固有の権限情報２２７を除く他の固有の権限情報２２７をスクリプト情報２２１に代入して、ウェブサイト１００に対するモニタリングが再開されるように再設定する。
【００３７】
また、ステップＳ３４０で、モニタリングサーバー２００は、ウェブサイト１００から遮断された固有の権限情報２２７と固有の権限情報２２７を遮断させたウェブサイト１００が一対一又は多対一で対応するようにマッピングして遮断マッピングテーブル２２９を生成し、又は既に保存された遮断マッピングテーブル２２９をアップデートする。このとき、モニタリングサーバー２００は、ステップＳ３５０で、ウェブサイト１００に対するモニタリングを継続して実行してから、固有の権限情報２２７を遮断させたウェブサイト１００から他の固有の権限情報２２７が遮断されると、遮断マッピングテーブル２２９から固有の権限情報２２７を遮断させたウェブサイト１００に対応する固有の権限情報２２７を抽出し、抽出された固有の権限情報２２７が遮断解除されたか否かによって、抽出された固有の権限情報２２７を用いて固有の権限情報２２７を遮断させたウェブサイト１００に対するモニタリングが再開されるようにすることができる。ここで抽出された固有の権限情報２２７を用いて固有の権限情報２２７を遮断させたウェブサイト１００に対するモニタリングが再開されるようにするために、ステップＳ３３０が繰り返し実行されることがわかる。
【００３８】
つまり、ステップＳ３１０では、ウェブ情報モニタリングのステップを実行し、ステップＳ３２０では、モニタリング遮断感知のステップを実行し、ステップＳ３３０とステップＳ３４０では、モニタリング再設定のステップを実行する。これに加え、ステップＳ３５０では、モニタリング再開のステップを実行する。
【００３９】
したがって、本発明に係るウェブサイトモニタリングシステム１０は、ウェブサイト１００で違法に複製、流通されているウェブトゥーン、音源、動画、書籍などの様々なデジタルコンテンツを索出するために、ウェブサイト１００に対するアクセス権限を有する固有の権限情報２２７を用いてウェブサイト１００に保存されたウェブ情報１１０をモニタリングし、固有の権限情報２２７が遮断されるか否かをリアルタイムで感知する。また、ウェブサイトモニタリングシステム１０は、固有の権限情報２２７が遮断されると、遮断された固有の権限情報２２７を除く他の固有の権限情報２２７を用いて、ウェブ情報１１０に対するモニタリングを再開することができる。
【００４０】
以上で、本発明に係るウェブサイトモニタリングシステム及びモニタリング方法の構成及び作用を詳細な説明と図面に基づいて示したが、これは実施例をもって説明したに過ぎず、本発明の技術的思想を逸脱しない範囲内で様々な変化及び変更が可能である。
【図１】
0006768965.tif 000002
【図２】
0006768965.tif 000003
【図３】
0006768965.tif 000004
【図４】
0006768965.tif 000005